(57)【要約】【課題】布団を好適に干して乾燥させることができ、かつ他の洗濯物を干すのにも適した物干し具を提供すること。【解決手段】水平方向に平行に配された２本のパイプ部材と、前記２本のパイプ部材を相互に接続する複数の接続部材とにより形成される干し部と、前記干し部に接続され、該干し部を所定高さに保持する脚部とを備え、前記接続部材は、その中間位置において前記２本のパイプ部材よりも上方へ突出した突状部を備えているようにした。また、前記接続部材は、両端部から中央部へ向かって山なりに盛り上がるようにして形成されているようにした。【選択図】図１
2015015979.tif 000002
【特許請求の範囲】
【請求項１】
水平方向に平行に配された２本のパイプ部材と、前記２本のパイプ部材を相互に接続する複数の接続部材とにより形成される干し部と、
前記干し部に接続され、該干し部を所定高さに保持する脚部とを備え、
前記接続部材は、その中間位置において前記２本のパイプ部材よりも上方へ突出した突状部を備えていることを特徴する物干し具。
【請求項２】
前記接続部材は、両端部から中央部へ向かって山なりに盛り上がるようにして形成されていることを特徴とする請求項１に記載の物干し具。
【請求項３】
前記パイプ部材が伸縮自在となされていることを特徴とする請求項１又は２に記載の物干し具。
【発明の詳細な説明】
【技術分野】
【０００１】
本発明は、物干し具に関するものであり、より詳しくは、布団や毛布などを好適に干すことができ、かつハンガーに吊るしたシャツなどの洗濯物を好適に乾かすことが可能な物干し具に関するものである。
【背景技術】
【０００２】
従来から、洗濯物や布団などを室内において干すということが行われている。特に雨天が多い梅雨の時期や、積雪のある地方では真冬の時期などにおいては、洗濯物や布団を屋外に干すことができない日も多い。また、近年は花粉や所謂ＰＭ２．５など、空気中に浮遊する様々な物質の影響によって、布団等を屋外に干すこと自体を嫌い、晴天時でも室内で洗濯物や布団などを干す家庭も増えてきている。
【０００３】
従来の物干し具で布団を干せるようなものとしては、例えば下記特許文献１にあるように、パイプ部材で矩形状に形成した複数の枠体を放射状に拡げるようにして、これに布団を干すことができるようにしたものがある。あるいは、下記特許文献２にあるように、２本の支柱部材間に差し渡された干し棒（竿連結アーム）に、布団を干すようにしたものもある。
【０００４】
確かに、これら従来の物干し具によれば、簡単に設置して布団を干すことができる。また、必要がないときには、コンパクトに折り畳んで収納しておくことが可能である。
【先行技術文献】
【特許文献】
【０００５】
【特許文献１】実開平６−７９４８９号公報
【特許文献２】実用新案登録第３０９８０３６号公報
【発明の概要】
【発明が解決しようとする課題】
【０００６】
しかしながら、上記従来の物干し具においては、布団を干したときに、上記パイプ部材又は干し棒のところで布団が二つ折りになり、これによって布団の裏面同士が近接ないし接してしまう。そうすると、二つ折りになった布団の間に空気が通らず、結果として布団が好適に乾燥しない。また、上記従来の物干し具においては、布団以外の洗濯物を干すのに適したものとはいえない。
【０００７】
本発明は、上述のような問題点を克服するためになされたものであり、布団を好適に干して乾燥させることができ、かつ他の洗濯物を干すのにも適した物干し具を提供することを目的とする。
【課題を解決するための手段】
【０００８】
上記の課題を解決するため、本発明に係る物干し具は、水平方向に平行に配された２本のパイプ部材と、前記２本のパイプ部材を相互に接続する複数の接続部材とにより形成される干し部と、前記干し部に接続されて該干し部を所定高さに保持する脚部とを備え、前記接続部材は、その中間位置において前記２本のパイプ部材よりも上方へ突出した突状部を備えていることを特徴する。
【０００９】
本発明に係る物干し具によれば、２本のパイプ部材を跨ぐようにして布団を掛けて干すことができるので布団の表裏面共に乾き易いものとなる。しかも、接続部材が、その中間位置において前記パイプ部材よりも上方へ突出した突状部を備えており、当該突状部を覆うように布団を掛けることによって、布団が折れ曲がる箇所を無くすことができるので、より好適に布団を乾かすことが可能となる。
【００１０】
また、ハンガーに吊るしたシャツなどの洗濯物を多数干す場合、平行して配された２本のパイプ部材の各パイプ部材に、交互に洗濯物を掛けてゆくことによって、隣り合う洗濯物をズラして掛けることができ、それにより洗濯物が乾き易くなる。
【発明の効果】
【００１１】
以上のように、本発明に係る物干し具によれば、２本のパイプ部材を跨ぐようにして布団を掛けて干すことができるので布団の表裏面共に乾き易いものとなる。しかも、接続部材が、その中間位置において前記パイプ部材よりも上方へ突出した突状部を備えており、当該突状部を覆うように布団を掛けることによって、布団が折れ曲がる箇所を無くすことができるので、より好適に布団を乾かすことが可能となる。
【００１２】
また、ハンガーに吊るしたシャツなどの洗濯物を多数干す場合、平行して配された２本のパイプ部材の各パイプ部材に、交互に洗濯物を掛けてゆくことによって、隣り合う洗濯物をズラして掛けることができ、それにより洗濯物が乾き易くなる。
【図面の簡単な説明】
【００１３】
【図１】本発明に係る物干し具の一実施形態を示す斜視図である。
【図２】図１に示した物干し具の、干し棒を縮めた収納状態を示す斜視図である。
【図３】図１に示した物干し具に布団と枕を干した使用状態を示した斜視図である。
【図４】図１に示した物干し具に洗濯物を干した使用状態を示した斜視図である。
【図５】本発明に係る物干し具の別の一実施形態を示す斜視図である。
【図６】図５に示した物干し具の収納状態を示した斜視図である。
【図７】図５に示した物干し具に布団を干した使用状態を示した斜視図である。
【図８】図５に示した物干し具に洗濯物を干した状態を示した斜視図である。
【発明を実施するための形態】
【００１４】
以下、本発明を実施するための形態を、図面に基づいて詳細に説明する。
【００１５】
図１は、本発明に係る物干し具の一実施形態を示した斜視図である。この図１に示すように、物干し具１は、平行に配された２本のパイプ部材２と、当該２本のパイプ部材２同士を接続する接続部材３とにより形成される干し部と、接続部材３に接続された脚部（支柱部材）４とにより形成されている。
【００１６】
２本のパイプ部材２は、それぞれに外パイプ２１、中間パイプ２２、及び内パイプ２３から形成されており、中間パイプ２２が外パイプ２１内に、内パイプ２３が中間パイプ２２内にそれぞれ嵌挿され、これによってパイプ部材２は伸縮自在となされている。
【００１７】
２本の外パイプ部材２１は、その両端部において接続部材３（３１、３２）に固定的に接続されている。また、中間パイプ２２は、一端部が上述のように外パイプ２１内に嵌挿され、他端部が接続部材３３に固着されて接続されている。さらに、内パイプ２３は、一端部が上述のように中間パイプ２２内に嵌挿され、他端部が接続部材３４に固着されて接続されている。尚、図示しないが、内パイプ２３が中間パイプ２２から完全に抜け出てしまわないように、また中間パイプ２２が外パイプ２１から完全に抜け出てしまわないように、それぞれ抜け止め手段が設けられている。
【００１８】
接続部材３（３１〜３４）は、略逆Ｕ字状となされると共に、Ｕ字の底部が２本のパイプ部材２よりも上方に突出するようになされている。また、接続部材３の両端部は下方へ略鉛直状に延びて、その先端部（下端部）に脚部４（支柱部材５）の上端部が接続される。
【００１９】
脚部４は、２本の支柱部材５と、支柱部材５の下端部に接続されるベース部材６と、ベース部材の下面に取り付けられたキャスター部材６５とにより形成される。この実施形態においては、支柱部材５は、上側支柱５ａと、下側支柱５ｂと、上側支柱５ａと下側支柱５ｂとを接続する接続ジョイント５５とからなる。この支柱部材５は、一本の支柱部材により形成するようにしてもよく、あるいは既知の構成により伸縮自在のものとすることもできる。
【００２０】
また、隣接するベース部材６間には、接続パイプ７が差し渡され、当該接続パイプ７は伸縮自在となされている。より具体的には、ベース部材６１とベース部材６２の間には接続パイプ７１が差し渡されており、ベース部材６１とベース部材６２とに固定的に接続されている。接続パイプ７２は、一端部が接続パイプ７１内に嵌挿され、他端部がベース部材６３に固着されている。また、接続パイプ７３は、一端部が接続パイプ７２内に嵌挿され、他端部がベース部材６４に固着されている。
【００２１】
以上のような構成により、接続部材３３、３４をそれぞれ接続部材３２から遠い方向へ引き出して図１のような状態としたり、逆に接続部材３３、３４をそれぞれ接続部材３２の方へ近づけて図２のような状態とすることができ、この物干し具１に干すものの大きさや数量等に応じて、その設置状態を調整することが可能なものとしている。尚、収納時には、図２のような状態にするのが好ましい。
【００２２】
図１のように接続部材３３、３４を引き出せば、図３に示すように、布団Ｆなどの大きなものを干すことが可能である。また、枕Ｐなどを２本のパイプ部材２に差し渡すようにして載置して干すこともできる。このとき、布団Ｆは二つ折りになるが、２本のパイプ部材を跨ぐようにして掛けられるので、二つ折りになった布団の裏面間に大きな隙間ができ、ここを空気が通ることが可能なので、布団Ｆが好適に乾かされる。また、逆Ｕ字状に形成された接続部材３の上に布団が掛けられることで布団の折り目がつきにくく、布団が乾き易くなると共に、布団を傷める恐れが少なくなる。
【００２３】
また、図４に示すように、シャツなどの洗濯物も干すことができる。このとき、この図４に示したように、ハンガーＨに吊るした複数のシャツＳ１、Ｓ２、Ｓ３、・・・を順に２本のパイプ部材に交互に掛けるようにすれば、隣り合う洗濯物の重なり部分が少なくなり、より早く洗濯物が乾くものとなされている。
【００２４】
図５〜図８は、本発明に係る物干し具１の別の一実施形態を示したものである。以下、図１〜図４に示した実施形態と異なる部分についてのみ、説明をすることとする。
【００２５】
この実施形態においては、パイプ部材２が、外パイプ２１および中間パイプ２２のみによって形成された（内側パイプ２３や接続部材３４がない）ものとなされ、したがって、中間パイプ２２のみが水平方向に伸縮自在となされている（図１〜図４に示した実施形態が所謂３連式であるとすれば、図５〜図８に示した実施形態は２連式である）。
【００２６】
また、この実施形態においては、接続部材３に対して着脱自在の物干しアーム８が設けられている。この物干しアーム８は、側面視コ字状となされて接続部材３の上端部を上下方向から挟むようにして嵌着することが可能な嵌着部８１１を有する嵌着部材８１と、嵌着部材８１に接続されて上方に延びるアーム支柱８２と、回動ジョイント８３を介してアーム支柱８２の先端部に取り付けられた干し棒８４とを備えている。また、物干しアーム８は、嵌着部材８１に接続されて下方に延びる下方支柱８５と、下方支柱８５の下端部にその中間部を接続されて水平方向に延びる支持バー８６とを備えている。
【００２７】
回動ジョイント８３は、図５に示した矢印Ｘ−Ｙ方向に回動可能であり、これによって、回動ジョイント８３をＸ方向へ回動させ、干し棒８４が略水平方向に延びるようにした使用状態と、Ｙ方向へ回動させ、干し棒８４をアーム支柱８２に沿わせるようにした収納状態とに切替自在としている。
【００２８】
また、支持バー８６は、２本の支柱部材５間の空間部よりも長い寸法を備えるものとなされており、図５の矢印Ｚ方向にこれを潜らせたのち、嵌着部材８１を接続部材の上端部に嵌着させると、物干しアーム８の自重（特に干し棒８４の重み）により、当接部８６１が接続部材３の下端部付近に当接する。これによって、簡単な構成で、図７及び図８に示したような状態に物干しアーム８を保持するこが可能となり、かつ、接続部材３に対して着脱が容易なので、必要なときだけこれを取り付けて利用することができる。
【００２９】
以上のような構成により、この実施形態における物干し具１は、図６に示したような収納状態とすることができ、また、図７に示したように布団Ｆを干すことができる。さらに、図８に示したようにシャツＳなどの洗濯物を干すこともでき、このとき、上述のように物干しアーム８を利用することによって、ワンピースＤなどの丈の長い衣類を干すことが可能となされている。尚、このように物干しアーム８に洗濯物を干した状態においては、支持バー８６がより強く接続部材３に当接する。それゆえ、物干しアーム８がより安定的に接続部材３に保持される。
【００３０】
以上のとおり、具体的な実施形態を示して本発明に係る物干し具１を説明してきたが、本発明は上述の実施形態に限られるものではなく、本発明の趣旨を逸脱しない範囲で様々に形態等を変更することが可能なものである。すなわち、今回開示した実施形態は、すべての点で例示であって、限定的な解釈の根拠となるものではない。したがって、本発明の技術的範囲は、上述した実施形態のみによって解釈されるものではなく、特許請求の範囲の記載に基づいて画定され、また、特許請求の範囲と均等の意味および範囲内でのすべての変更が含まれるものである。
【符号の説明】
【００３１】
１    物干し具
２    パイプ部材
３    接続部材
４    脚部
５    支柱部材
６    ベース部材
７    接続パイプ
８    物干しアーム
【図１】
2015015979.tif 000003
【図２】
2015015979.tif 000004
【図３】
2015015979.tif 000005
【図４】
2015015979.tif 000006
【図５】
2015015979.tif 000007
【図６】
2015015979.tif 000008
【図７】
2015015979.tif 000009
【図８】
2015015979.tif 000010